(57)【要約】【課題】押圧操作部分を構造上美麗に維持することが可能であるとともに、押圧操作性を改善することが可能なコンパクト容器の提供を目的とする。【解決手段】底壁部２ａの側縁に一連な側面外観を表す側壁部２ｂを有し、回動自在に連結された蓋体で開閉される容器本体２と、底壁部に側壁部の長さ方向に沿って形成され、当該側壁部を容器本体内方へ押圧操作可能に弾性変形自在とするスリット４と、容器本体に設けられ、側壁部に隠蔽されかつ当該側壁部が弾性変形されることで弾性復帰可能にスライド移動されるスライドピース５と、スライドピースと蓋体との間に設けられ、スライドピースのスライド移動に応じて当該スライドピースと蓋体とを係脱自在に係合するフックとを備えた。【選択図】図５
2007289290.tif 000002
【特許請求の範囲】
【請求項１】
底壁部の側縁に一連な側面外観を表す側壁部を有し、回動自在に連結された蓋体で開閉される容器本体と、上記底壁部に上記側壁部の長さ方向に沿って形成され、当該側壁部を上記容器本体内方へ押圧操作可能に弾性変形自在とするスリットと、上記容器本体に設けられ、上記側壁部に隠蔽されかつ当該側壁部が弾性変形されることで弾性復帰可能にスライド移動されるスライドピースと、上記スライドピースと上記蓋体との間に設けられ、該スライドピースのスライド移動に応じて当該スライドピースと該蓋体とを係脱自在に係合するフックとを備えたことを特徴とするコンパクト容器。
【請求項２】
前記容器本体は一対の前記側壁部を有し、前記スリットが上記側壁部それぞれに対応させて一対形成されることを特徴とする請求項１に記載のコンパクト容器。
【請求項３】
前記容器本体には、前記スライドピースが貫通される孔部が形成された前壁部が設けられるとともに、前記蓋体には、上記前壁部を覆って、一連な前面外観を表す表面を有する垂下前壁部が設けられ、前記フックが、上記孔部から露出される上記スライドピースの露出部と上記垂下前壁部の裏面に形成された係止部とから構成されることを特徴とする請求項１または２に記載のコンパクト容器。
【請求項４】
前記スライドピースには、前記容器本体内方に対して前記スリットを封止するための封止部が設けられることを特徴とする請求項１〜３いずれかの項に記載のコンパクト容器。
【請求項５】
前記容器本体と前記蓋体との間には、該蓋体を開放方向へ付勢する付勢部材が設けられることを特徴とする請求項１〜４いずれかの項に記載のコンパクト容器。
【請求項６】
前記側壁部には、押圧操作位置を示すマークが設けられることを特徴とする請求項１〜５いずれかの項に記載のコンパクト容器。
【発明の詳細な説明】
【技術分野】
【０００１】
本発明は、押圧操作部分を構造上美麗に維持することが可能であるとともに、押圧操作性を改善することが可能なコンパクト容器に関する。
【背景技術】
【０００２】
容器本体とこれを閉じる蓋体との係合状態を、容器本体の側部に設けたプッシュピースで解除するようにしたコンパクト容器として、特許文献１が知られている。この特許文献１では、蓋体が後部に回動自在に連結された容器本体の側部に設けたプッシュピースを押圧操作することで、容器本体内に設けた弾性部材を弾性変形させ、これにより容器本体の前部で蓋体の係合突起に係脱自在に係合している弾性部材の係合凸部を移動させて、当該係合凸部を係合突起から離脱させるようにした化粧料容器において、弾性部材に容器本体後方へ向かって弾性変形する習性を与えるために、弾性部材をプッシュピースに対して後方へ向けて連結し、弾性部材の係合凸部を容器本体前方へ向かって突出形成するとともに、蓋体の係合突起を、係合凸部に係合させるために、容器本体後方へ向かって突出形成している。
【特許文献１】特開２００５−１３０８８９号公報
【発明の開示】
【発明が解決しようとする課題】
【０００３】
ところで、背景技術にあっては、押圧操作するプッシュピースが容器本体の側部から露出されるため、コンパクト容器のデザインが制約されるとともに、プッシュピースとこれを露出させる容器本体側部との間の隙間に汚れが付着しやすく、この汚れがコンパクト容器の外観に現れて、美麗さが損なわれやすいという課題があった。また、容器本体側部は相当の長さ寸法を有するが、押圧操作部分は、この容器本体側部のうち、プッシュピース部分にのみ限定される。プッシュピースは容器本体に別部品として組み込まれるため、このプッシュピースを過度に大型化すると、操作安定性が懸念される。そのため、プッシュピースの大きさは比較的小さく設定されることとなって、このような小さなプッシュピースでは操作しづらく、コンパクト容器を持ち直すなどしなければならない場合があるという課題があった。
【０００４】
本発明は上記従来の課題に鑑みて創案されたものであって、押圧操作部分を構造上美麗に維持することが可能であるとともに、押圧操作性を改善することが可能なコンパクト容器を提供することを目的とする。
【課題を解決するための手段】
【０００５】
本発明にかかるコンパクト容器は、底壁部の側縁に一連な側面外観を表す側壁部を有し、回動自在に連結された蓋体で開閉される容器本体と、上記底壁部に上記側壁部の長さ方向に沿って形成され、当該側壁部を上記容器本体内方へ押圧操作可能に弾性変形自在とするスリットと、上記容器本体に設けられ、上記側壁部に隠蔽されかつ当該側壁部が弾性変形されることで弾性復帰可能にスライド移動されるスライドピースと、上記スライドピースと上記蓋体との間に設けられ、該スライドピースのスライド移動に応じて当該スライドピースと該蓋体とを係脱自在に係合するフックとを備えたことを特徴とする。
【０００６】
前記容器本体は一対の前記側壁部を有し、前記スリットが上記側壁部それぞれに対応させて一対形成されることを特徴とする。
【０００７】
前記容器本体には、前記スライドピースが貫通される孔部が形成された前壁部が設けられるとともに、前記蓋体には、上記前壁部を覆って、一連な前面外観を表す表面を有する垂下前壁部が設けられ、前記フックが、上記孔部から露出される上記スライドピースの露出部と上記垂下前壁部の裏面に形成された係止部とから構成されることを特徴とする。
【０００８】
前記スライドピースには、前記容器本体内方に対して前記スリットを封止するための封止部が設けられることを特徴とする。
【０００９】
前記容器本体と前記蓋体との間には、該蓋体を開放方向へ付勢する付勢部材が設けられることを特徴とする。
【００１０】
前記側壁部には、押圧操作位置を示すマークが設けられることを特徴とする。
【発明の効果】
【００１１】
本発明にかかるコンパクト容器にあっては、押圧操作部分を構造上美麗に維持することができるとともに、押圧操作性を改善することができる。
【発明を実施するための最良の形態】
【００１２】
以下に、本発明にかかるコンパクト容器の好適な実施形態を、添付図面を参照して詳細に説明する。本実施形態にかかるコンパクト容器１は基本的には、図１〜図６に示すように、底壁部２ａの側縁に一連な側面外観を表す側壁部２ｂを有し、回動自在に連結された蓋体３で開閉される容器本体２と、底壁部２ａに側壁部２ｂの長さ方向に沿って形成され、当該側壁部２ｂを容器本体２内方へ押圧操作可能に弾性変形自在とするスリット４と、容器本体２に設けられ、側壁部２ｂに隠蔽されかつ当該側壁部２ｂが弾性変形されることで弾性復帰可能にスライド移動されるスライドピース５と、スライドピース５と蓋体３との間に設けられ、スライドピース５のスライド移動に応じて当該スライドピース５と蓋体３とを係脱自在に係合するフック６とを備えて構成される。容器本体２は、一対の側壁部２ｂを有し、スリット４が側壁部２ｂそれぞれに対応させて一対形成される。
【００１３】
容器本体２は、底壁部２ａの前縁、左右側縁および後縁にそれぞれ、前壁部２ｃ、左右側壁部２ｂおよび後壁部２ｄが形成されて、平面外形輪郭が矩形状に形成される。左右一対の側壁部２ｂは、その壁面に沿って一連に、コンパクト容器１の側面外観を表すとともに、前壁部２ｃも、その壁面に沿って一連に、コンパクト容器１の前面の外観を表す。容器本体２の内部には、これら左右側壁部２ｂ等で取り囲んで、化粧料が充填されまた化粧具を収容する前後方向に２つの収納部７を有する中皿８を収納する凹所９が形成される。凹所９に面する前壁部２ｃおよび後壁部２ｄそれぞれには、中皿８に前後一組で形成された係合突起１０が係脱自在に係合されて、当該中皿８を凹所９内に保持する係合凹部１１が形成される。
【００１４】
蓋体３は、容器本体２の平面外形輪郭に一致する平面外形輪郭で形成され、鏡板１２が取り付けられている。蓋体３の後端にはこれより垂下させてヒンジブロック１３が形成されるとともに、容器本体２には、その後壁部２ｄの左右両端から後方へ突出させて一対のヒンジ片１４が形成され、これらヒンジ片１４間にヒンジブロック１３を挿入し、ヒンジ片１４に形成したピン穴１５に、これらヒンジ片１４からヒンジブロック１３へわたって一対のヒンジピン１６を挿通することで、容器本体２にこれを開閉する蓋体３が回動自在に連結される。蓋体３の前端中央には、これより垂下させて、フック片１７が形成される。
【００１５】
容器本体２の底壁部２ａには、左右一対の側壁部２ｂそれぞれに隣接させて、当該側壁部２ｂの長さ方向に沿って前後方向にスリット４が形成され、これら左右一対のスリット４により、各側壁部２ｂは、押圧操作によって容器本体２内方へ弾性変形可能に形成される。図示例にあっては、これらスリット４は、後壁部２ｄから側壁部２ｂの長さ寸法の半分程度の長さ寸法で形成されているが、その長さ寸法は適宜に設定することができ、側壁部２ｂ全長にわたって形成してもよい。また、スリット４の配設位置も、後壁部２ｄに隣接させた図示例に限らず、前壁部２ｃに隣接配置したり、側壁部２ｂ中央に配設しても良い。
【００１６】
中皿８は、上記係合突起１０が設けられた皿本体８ａと庇部８ｂとから構成される。皿本体８ａは、側壁部２ｂの弾性変形を許容する空間Ｚを確保するために、左右方向寸法が凹所９の左右方向寸法よりも短く形成されるとともに、前後方向寸法が、凹所９の前後方向寸法にほぼ一致する矩形状の平面外形輪郭で形成される。皿本体８ａの前端部中央には、後方へ向かって窪ませて窪み部８ｃが形成され、これにより中皿８と前壁部２ｃとの間に隙間Ｓが形成される。庇部８ｂは、皿本体８ａの外周縁部上端から外方へ向かって張り出して形成され、容器本体２の前壁部２ｃや側壁部２ｂ等へ達してそれらの上に重ね合わされて、隙間Ｓや空間Ｚを塞ぐように構成される。庇部８ｂの前端には、蓋体３のフック部１７を隙間Ｓ内へ挿通させるための切り欠き部１８が形成される。
【００１７】
凹所９内に収納される中皿８で覆われる容器本体２の底壁部２ａにはこれを窪ませて、容器本体２の左右方向中央に前壁部２ｃから後方へ向かって形成された縦溝１９ａと、縦溝１９ａの後端から左右一対のスリット４にわたって形成された横溝１９ｂとからなる、ほぼＴ字状の溝部１９が形成される。この溝部１９内には、薄板状のスライドピース５が設けられる。
【００１８】
スライドピース５は、縦溝１９ａ内に配置され、当該縦溝１９ａに案内されて前後方向へスライド移動自在なスライド片５ａと、スライド片５ａの後端から左右方向に弾性変形自在に延出形成され、横溝１９ｂ内で弾性変形される弾性片５ｂと、弾性片５ｂの両端にそれぞれ形成され、横溝１９ｂ内に配置されて、当該横溝１９ｂに案内されて左右方向へスライド移動自在なコ字状の一対のガイド片５ｃと、これらガイド片５ｃそれぞれに、側壁部２ｂの裏面に面して突出形成された押圧突起５ｄとが一体成形されて構成され、溝部１９に装着されることで中皿８および側壁部２ｂに隠蔽されて配置される。
【００１９】
スライドピース５の弾性片５ｂは、後方へ向かって凸の弧状に形成され、ガイド片５ｃの移動方向を左右方向に規制する横溝１９ｂ内を当該ガイド片５ｃが容器本体２内方へスライド移動すると、スライド片５ａの移動方向を前後方向に規制する縦溝１９ａによって、後方へ弾性変形し、これによりスライド片５ａは、容器本体２後方へスライド移動され、また、弾性片５ｂが弾性復帰する際には、ガイド片５ｃが側壁部２ｂ側へスライド移動されると同時に、スライド片５ａは容器本体２前方へスライド移動される。
【００２０】
従って、側壁部２ｂを容器本体２内方へ押圧操作して弾性変形させると、押圧突起５ｄを介してガイド片５ｃが容器本体２内方へスライド移動してスライド片５ａが容器本体２後方へスライド移動され、他方、側壁部２ｂの押圧操作を解除すると、弾性片５ｂが弾性復帰してスライド片５ａが容器本体２前方へ、またガイド片５ｃが側壁部２ｂ側へスライド移動し、押圧突起５ｄが側壁部２ｂの裏面に面して停止される。
【００２１】
スライドピース５のスライド片５ａ前端側には、前壁部２ｃと中皿８との間の隙間Ｓに位置させて、上方へ立ち上げて脚部２０が形成され、この脚部２０の上端には、容器本体２前方へ突出させて係合部２０ａが形成される。係合部２０ａは、隙間Ｓを利用して、スライド片５ａのスライド移動に応じて前後方向に移動される。また、蓋体３のフック片１７の下端には、容器本体２後方へ突出させて、スライドピース５の係合部２０ａに係脱自在に係合する突起１７ａが形成される。これら突起１７ａと係合部２０ａとにより、蓋体３の閉止状態を維持するフック６が構成される。
【００２２】
さらに、容器本体２の後壁部２ｄと蓋体３のヒンジブロック１３との間には、付勢部材として、ねじりバネ２１が設けられる。後壁部２ｄには凹部２２が形成されるとともに、ヒンジブロック１３の一端には穴部２３が形成され、ねじりバネ２１はこの穴部２３に装着されてその一端が当該穴部２３に係止されるとともに、他端が凹部２２を介して容器本体２内方へ挿入されて当該容器本体２の後壁部２ｄに係止される。このねじりバネ２１は、蓋体３を閉じるときにねじり変形されて弾性反発力を蓄え、この弾性反発力で容器本体２に対し蓋体３を開放方向へ付勢する。
【００２３】
本実施形態にかかるコンパクト容器１の作用について説明する。組み立てに際しては、容器本体２の溝部１９にスライドピース５を配置する。溝部１９に配置されたスライドピース５は、側壁部２ｂによって隠蔽され、また押圧突起５ｄが側壁部２ｂの裏面に当接される。次いで、ヒンジブロック１３と容器本体２の後壁部２ｄとの間にねじりバネ２１を配設しつつ、ヒンジピン１６によりヒンジ片１４間にヒンジブロック１３を連結して、蓋体３を容器本体２に回動自在に取り付ける。その後、凹所９内に中皿８を装着する。中皿８を装着すると、スライドピース５の係合部２０ａが隙間Ｓに位置されるとともに、当該隙間Ｓや、側壁部２ｂと中皿８との間の空間Ｚ、スリット４が中皿８によって隠蔽される。
【００２４】
コンパクト容器１の使用にあたっては、開いている蓋体３を閉じていくと、蓋体３のフック片１７が、中皿８の庇部８ｂに形成した切り欠き部１８を介して隙間Ｓ内に進入する。隙間Ｓ内に進入したフック片１７の突起１７ａは、係合部２０ａに当接してこれを容器本体２後方へ押圧する。係合部２０ａが押圧されると、スライドピース５のスライド片５ａが弾性片５ｂの弾発力に抗して容器本体２後方へスライド移動し、これにより突起１７ａが係合部２０ａ下に入り込んで係合し、蓋体３による容器本体２の閉止状態が保持される。
【００２５】
他方、蓋体３を開放する際には、容器本体２の側壁部２ｂを手指などで押圧操作することになる。側壁部２ｂを容器本体２内方へ押圧操作すると、これにより押圧突起５ｄを介してガイド片５ｃが左右方向両側から容器本体２内方へスライド移動し、弾性片５ｂを容器本体２後方へ弾性変形させ、これによりスライド片５ａが容器本体２後方へスライド移動する。このスライド片５ａのスライド移動により、スライドピース５の係合部２０ａがフック片１７の突起１７ａから離脱する。突起１７ａから係合部２０ａが離脱すると、ねじりバネ２１によって蓋体３が容器本体２から離れるように上方へ持ち上げられる。
【００２６】
一旦、ねじりバネ２１の作用で蓋体３が持ち上がると、スライドピース５が弾性復帰しても、係合部２０ａがフック片１７に再度係合することはなく、蓋体３を円滑に開放操作することができる。蓋体３がねじりバネ２１で持ち上げられた後は、側壁部２ｂから手指を離せば、弾性片５ｂの弾性復帰作用でスライド片５ａおよびガイド片５ｃはそれぞれ容器本体２前方および側壁部２ｂ側へスライド移動し、ガイド片５ｃの押圧突起５ｄが側壁部２ｂの裏面に面して停止して、再度の蓋体３の開放操作に対し、待機することになる。
【００２７】
ところで、本実施形態にかかるコンパクト容器１にあっては、押圧操作されるスライドピース５を、コンパクト容器１の側面外観を表す側壁部２ｂで隠蔽するようにしたので、背景技術のように、容器本体側部に露出されるプッシュピースによってデザインが制約されることがなく、外観設計の自由度を向上できるとともに、また押圧操作部分が外観に露出することによる汚損も防ぐことができて、押圧操作部分の美麗さを構造上、適切に維持することができる。また、押圧操作部分を側壁部２ｂに広範に確保することが可能で、幅広い範囲で押圧操作して蓋体３を開放することができ、その操作性を改善することができる。また、容器本体２の左右一対の側壁部２ｂに対応させて一対のスリット４を形成したので、一方の側壁部２ｂのみにスリット４を設ける場合よりも、軽い操作力でスライドピース５をスライド移動させることができる。
【００２８】
また、容器本体２と蓋体３との間に、蓋体３を開放方向へ付勢するねじりバネ２１を設けたので、側壁部２ｂを押圧操作して一旦係合部２０ａとフック片１７との係合を解除すれば、側壁部２ｂから手指を離しても、これらが再度係合することはなく、円滑に蓋体３を開放操作することができる。
【００２９】
上記実施形態にあっては、一対の側壁部２ｂそれぞれにスリット４を形成する場合を例示して説明したが、いずれか一方の側壁部２ｂにのみスリット４を形成するようにしてもよいことはもちろんである。
【００３０】
図７〜図１３には、本発明にかかるコンパクト容器１の他の実施形態が示されている。本実施形態にあっては、上記実施形態とは異なり、容器本体２の前壁部２ｃに、スライドピース５のスライド片５ａ前端部を貫通させる孔部２４が形成されるとともに、蓋体３の前端には、前壁部２ｃ全体をその前方から覆って、前壁部２ｃに代わってコンパクト容器１の一連な前面外観を表す表面を有する垂下前壁部３ａが形成される。そして、垂下前壁部３ａには、容器本体２の前壁部２ｃに面する裏面に、当該前壁部２ｃの孔部２４から露出されたスライド片５ａの露出部２５が係脱自在に係合する凹溝状の係止部２６が形成され、これら係止部２６と露出部２５とによってフック６が構成される。
【００３１】
また、本実施形態にあっては、コ字状のガイド片５ｃの容器本体２前後方向に延びる基部２７から容器本体２内方へ折り返された前方折り返し部２８および後方折り返し部２９それぞれのスライド移動を個別に案内する前方溝１９ｃおよび後方溝１９ｄが形成され、これら前方溝１９ｃおよび後方溝１９ｄは、基部２７の容器本体２内方へのスライド移動を許容する連結溝１９ｅを介して横溝１９ｂに接続される。また、押圧突起５ｄは設けられていない。また、フック６が、スライド片５ａの露出部２５と係止部２６とから構成されているので、脚部２０および係合部２０ａとフック片１７および突起１７ａ、そしてまた庇部８ｂの切り欠き部１８も設けられていない。
【００３２】
そして特に、スリット４がほぼ側壁部２ｂ全長にわたる長さで形成されるとともに、側壁部２ｂの凹所９に面する内壁面には、スリット４の長さ方向に沿って凹み部３０が形成され、スライドピース５のガイド片５ｃの基部２７が、スリット４を跨いで凹み部３０内に達する幅寸法で形成される。このガイド片５ｃの基部２７は、容器本体２内方に対してスリット４を封止する封止部として機能する。その他、本実施形態では、中皿８の収納部７は１つとされ、中皿８と前壁部２ｃとの間の隙間Ｓも不要とされる。
【００３３】
本実施形態にあっても、容器本体２内にスライドピース５を組み込み、蓋体３を容器本体２に連結し、中皿８を凹所９に装着することで、コンパクト容器１を組み立てることができる。蓋体３の閉止操作および開放操作も、上記実施形態と同様に行うことができ、蓋体３を開放する際に、容器本体２の側壁部２ｂを手指などで押圧操作すると、凹み部３０に挿入されているガイド片５ｃの基部２７を介して、ガイド片５ｃはスリット４を封止した状態を維持したまま、左右方向両側から容器本体２内方へスライド移動し、これによりスライド片５ａが容器本体２後方へスライド移動して、スライドピース５の露出部２５が孔部２４を介して容器本体２内に没入し、露出部２５が係止部２６から離脱して蓋体３が開放可能となる。
【００３４】
特に本実施形態にあっては、上記実施形態の庇部８ｂの切り欠き部１８に代わる孔部２４を容器本体２の前壁部２ｃに形成していて、この孔部２４を介してスライド片５ａの露出部２５と蓋体３の係止部２６とを係脱自在に係合させるようにしているので、隙間Ｓを設定する必要がなく、中皿８の容量を増やすことができて収納部７に充填される化粧料の充填量を増大させることができるとともに、中皿８の収納部７と孔部２４とを、前壁部２ｃの上端縁を介して相当の距離離隔させることができるので、化粧料などが孔部２４を介して容器本体２内に入り込んでこびりつくことを防止できる。また、ガイド片５ｃの基部２７で、容器本体２内に対しスリット４を封止するようにしたので、スリット４から塵埃等が容器本体２内に侵入することも阻止できる。また、上記実施形態に比べ、フック６の構成を簡素化することができる。
【００３５】
図１４には、上記実施形態の変形例が示されている。この変形例にあっては、側壁部２ｂに、容器本体２側方へ僅かに隆起させて、凸部３１が形成されている。この凸部３１は、操作位置を示すマークとして機能する。このような凸部３１は、銘板などで構成してもよい。本実施形態にかかるコンパクト容器１は、その外観が全体に亘って平坦であって、特異かつ意匠性に優れたデザインであり、そのために、蓋体３の開閉操作部分が分かりにくいことが懸念されるが、上記凸部３１により、蓋体３の開閉操作部分が容器本体２の側壁部２ｂにあることを使用者に適切に認知させることができる。このような変形例にあっても、上記実施形態と同様な作用効果を発揮することはもちろんである。
【図面の簡単な説明】
【００３６】
【図１】本発明にかかるコンパクト容器の好適な一実施形態を示す分解斜視図である。
【図２】図１のコンパクト容器の側断面図である。
【図３】図１のコンパクト容器の前方上方からの斜視図である。
【図４】図１のコンパクト容器の前方下方からの斜視図である。
【図５】図１のコンパクト容器の中皿を取り外した状態の平面図である。
【図６】図１のコンパクト容器のねじりバネ取付部周辺を示す要部拡大断面図である。
【図７】本発明にかかるコンパクト容器の他の実施形態を示す斜視図である。
【図８】図７のコンパクト容器の側断面図である。
【図９】図７のコンパクト容器の前方上方からの斜視図である。
【図１０】図７のコンパクト容器の前方下方からの斜視図である。
【図１１】図７のコンパクト容器の中皿を取り外した状態の平面図である。
【図１２】図７のコンパクト容器の側壁部周辺の要部拡大断面図である。
【図１３】図７のコンパクト容器の側壁部の押圧操作状態を示す要部拡大断面図である。
【図１４】本発明にかかるコンパクト容器の変形例を示す、前方上方からの斜視図である。
【符号の説明】
【００３７】
１  コンパクト容器
２  容器本体
２ａ  底壁部
２ｂ  側壁部
２ｃ  前壁部
３  蓋体
３ａ  垂下前壁部
４  スリット
５  スライドピース
６  フック
２１  ねじりバネ
２４  孔部
２５  露出部
２６  係止部
２７  ガイド片の基部
３１  凸部
【図１】
2007289290.tif 000003
【図２】
2007289290.tif 000004
【図３】
2007289290.tif 000005
【図４】
2007289290.tif 000006
【図５】
2007289290.tif 000007
【図６】
2007289290.tif 000008
【図７】
2007289290.tif 000009
【図８】
2007289290.tif 000010
【図９】
2007289290.tif 000011
【図１０】
2007289290.tif 000012
【図１１】
2007289290.tif 000013
【図１２】
2007289290.tif 000014
【図１３】
2007289290.tif 000015
【図１４】
2007289290.tif 000016